(57)【要約】【課題】  本発明は、簡易な構成で充電時間を効率良く短縮することができる充電制御装置及び充電制御方法を実現するものである。【解決手段】  複数の動作状態からなる一連の処理動作を実行する機能を有し、外部電源からアダプタを介して供給される直流電流を機能を実行するためのシステム電流として使用すると共に、必要に応じて直流電流を２次電池１５を充電するための充電電流として使用するようになされた充電制御装置及び充電制御方法において、機能の実行時に、一連の処理動作を形成する各動作状態ごとにシステム電流の電流値を計測した後、当該各動作状態ごとに２次電池１５に供給する充電電流の電流値をアダプタの定格電流値から計測されたシステム電流の電流値を差し引いた値に調整するようにした。【選択図】        図２
2005328660.tif 000002
【特許請求の範囲】
【請求項１】
複数の動作状態からなる一連の処理動作を実行する機能を有し、外部電源からアダプタを介して供給される直流電流を上記機能を実行するためのシステム電流として使用すると共に、必要に応じて上記直流電流を２次電池を充電するための充電電流として使用するようになされた充電制御装置において、
上記機能の実行時に、上記一連の処理動作を形成する各上記動作状態ごとに、上記システム電流の電流値を計測する計測手段と、
各上記動作状態ごとに、上記２次電池に供給する上記充電電流の電流値を、上記アダプタの定格電流値から上記計測手段により計測された上記システム電流の電流値を差し引いた値に調整する調整手段と
を具えることを特徴とする充電制御装置。
【請求項２】
上記アダプタの定格電流値は、上記システム電流の電流値が最大となる上記動作状態の当該システム電流の電流値を満たすように設定されている
ことを特徴とする請求項１に記載の充電制御装置。
【請求項３】
複数の動作状態からなる一連の処理動作を実行する機能を有し、外部電源からアダプタを介して供給される直流電流を上記機能を実行するためのシステム電流として使用すると共に、必要に応じて上記直流電流を２次電池を充電するための充電電流として使用するようになされた充電制御装置において、
上記一連の処理動作を形成する各上記動作状態と、当該各動作状態に対応する上記システム電流の電流値との対応関係を表す変換テーブルを記憶しておく記憶手段と、
上記機能の実行時に、上記一連の処理動作を形成する各上記動作状態ごとに、上記記憶手段から読み出した変換テーブルを用いて上記システム電流の電流値を求める読出手段と、
各上記動作状態ごとに、上記２次電池に供給する上記充電電流の電流値を、上記アダプタの定格電流値から上記読出手段により求められた上記システム電流の電流値を差し引いた値に調整する調整手段と
を具えることを特徴とする充電制御装置。
【請求項４】
上記記憶手段に記憶する上記変換テーブルは、
上記一連の処理動作を形成する各上記動作状態のうち上記システム電流の電流値が最大となる上記動作状態について、当該動作状態が終了後も所定時間だけ対応する上記システム電流の電流値を維持するように設定される
ことを特徴とする請求項３に記載の充電制御装置。
【請求項５】
上記アダプタの定格電流値は、上記システム電流の電流値が最大となる上記動作状態の当該システム電流の電流値を満たすように設定されている
ことを特徴とする請求項３に記載の充電制御装置。
【請求項６】
複数の動作状態からなる一連の処理動作を実行する機能を有し、外部電源からアダプタを介して供給される直流電流を上記機能を実行するためのシステム電流として使用すると共に、必要に応じて上記直流電流を２次電池を充電するための充電電流として使用するようになされた充電制御方法において、
上記機能の実行時に、上記一連の処理動作を形成する各上記動作状態ごとに、上記システム電流の電流値を計測する第１のステップと、
各上記動作状態ごとに、上記２次電池に供給する上記充電電流の電流値を、上記アダプタの定格電流値から上記計測された上記システム電流の電流値を差し引いた値に調整する第２のステップと
を具えることを特徴とする充電制御方法。
【請求項７】
上記アダプタの定格電流値は、上記システム電流の電流値が最大となる上記動作状態の当該システム電流の電流値を満たすように設定されている
ことを特徴とする請求項６に記載の充電制御方法。
【請求項８】
複数の動作状態からなる一連の処理動作を実行する機能を有し、外部電源からアダプタを介して供給される直流電流を上記機能を実行するためのシステム電流として使用すると共に、必要に応じて上記直流電流を２次電池を充電するための充電電流として使用するようになされた充電制御方法において、
上記機能の実行時に、上記一連の処理動作を形成する各上記動作状態ごとに、上記一連の処理動作を形成する各上記動作状態と、当該各動作状態に対応する上記システム電流の電流値との対応関係を表す変換テーブルを用いて、上記システム電流の電流値を求める第１のステップと、
各上記動作状態ごとに、上記２次電池に供給する上記充電電流の電流値を、上記アダプタの定格電流値から上記第１のステップにより求められた上記システム電流の電流値を差し引いた値に調整する第２のステップと
を具えることを特徴とする充電制御方法。
【請求項９】
上記記憶手段に記憶する上記変換テーブルは、
上記一連の処理動作を形成する各上記動作状態のうち上記システム電流の電流値が最大となる上記動作状態について、当該動作状態が終了後も所定時間だけ対応する上記システム電流の電流値を維持するように設定される
ことを特徴とする請求項８に記載の充電制御方法。
【請求項１０】
上記アダプタの定格電流値は、上記システム電流の電流値が最大となる上記動作状態の当該システム電流の電流値を満たすように設定されている
ことを特徴とする請求項８に記載の充電制御方法。
【発明の詳細な説明】
【技術分野】
【０００１】
本発明は充電制御装置及び充電制御方法に関し、例えば携帯型のハードディスクプレーヤに適用して好適なものである。
【背景技術】
【０００２】
従来、この種の携帯型のハードディスクプレーヤでは、携帯時には装脱自在に搭載された２次電池を電流供給源として使用する一方、自宅内などの室内環境下では家庭用電源を電流供給源として所定のＡＣ（Alternating Current）アダプタを介して使用するようになされたものが一般的である。
【０００３】
近年、かかるハードディスクプレーヤには、ＡＣアダプタを介して家庭用電源と接続されている場合には、再生動作中であっても２次電池を充電し得るようになされたものが提案され実現されている（例えば、特許文献１参照）。
【特許文献１】特開平２００２−１１２５４０号公報
【発明の開示】
【発明が解決しようとする課題】
【０００４】
ところで、このような再生動作と充電動作とを同時に行うハードディスクプレーヤにおいては、充電時間の短縮化を優先させる第１の充電方法と、ＡＣアダプタの定格電流値の固定化を優先させる第２の充電方法とのいずれか一方が従来から採用されている。
【０００５】
ここでハードディスクプレーヤでは、電源オン状態における全回路に供給する駆動用電流（以下、これをシステム電流と呼ぶ）Ｓ１の変化状態が負荷変動として図６のように表される。この図６において、ハードディスクプレーヤのシステム電流の電流値は、１〔mA〕以下のスリープ時から再生動作の準備状態の開始時点ｔ０では30〔mA〕程度になり、ハードディスクドライブが起動される時点ｔ１から急激に700〔mA〕と上昇して約１秒間経過した後、ハードディスクがアクセスされてメモリに書き込まれる時点ｔ２からは450〔mA〕程度となり、その後約９秒間経過して当該メモリからデータが読み出される時点ｔ３からは通常の再生動作の準備状態と同じ30〔mA〕程度を持続する。続いて時点ｔ３から次にハードディスクドライブが起動される時点ｔ４までの時間は、約20分程度であり、かかる時間はメモリの記憶容量に応じて決定される。
【０００６】
通常、２次電池に供給される充電電流の電流値は、再生機器のシステム電流の最大電流値からＡＣアダプタの定格電流値までの間で確保するようになされている。かかるハードディスクプレーヤのシステム電流Ｓ１の最大電流値は、上述した図７に示すハードディスクドライブが起動される時点ｔ１における電流値（以下、これを動作時最大電流値と呼ぶ）であるため、ＡＣアダプタの定格電流値から700〔mA〕を差し引いた値が充電電流の電流値となる。
【０００７】
従って充電時間の短縮化を優先させる第１の充電方法では、充電時間の短縮化を図るべく充電電流の電流値として例えば500〔mA〕を確保する場合、図７（Ａ）に示すように、ハードディスクプレーヤにおけるシステム電流Ｓ１の動作時最大電流値が700〔mA〕であるため、当該動作時最大電流値に充電電流の電流値を加算した値でなる1200〔mA〕をＡＣアダプタの定格電流値としなければならない。
【０００８】
このためＡＣアダプタの定格電流値を非常に大きくするためには、ＡＣアダプタの大型化及び重量化を避けることができず、比較的大きくかつ重いＡＣアダプタを用意しなければならない煩雑さがあると同時に、その分だけ携帯性が低下する面でユーザに負担をかけるという問題があった。
【０００９】
またＡＣアダプタの定格電流値の固定化を優先させる第２の充電方法では、図７（Ｂ）に示すように、既存のＡＣアダプタをそのまま使用すると、ハードディスクプレーヤにおけるシステム電流Ｓ１の動作時最大電流値700〔mA〕に対してＡＣアダプタの定格電流値が800〔mA〕であることから、２次電池に供給可能な充電電流の電流値はその差分である100〔mA〕しか確保できず、この結果、充電時間が非常に長くなるという問題があった。
【００１０】
本発明は以上の点を考慮してなされたもので、簡易な構成で充電時間を効率良く短縮することができる充電制御装置及び充電制御方法を提案しようとするものである。
【課題を解決するための手段】
【００１１】
かかる課題を解決するため本発明においては、複数の動作状態からなる一連の処理動作を実行する機能を有し、外部電源からアダプタを介して供給される直流電流を機能を実行するためのシステム電流として使用すると共に、必要に応じて直流電流を２次電池を充電するための充電電流として使用するようになされた充電制御装置において、機能の実行時に、一連の処理動作を形成する各動作状態ごとに、システム電流の電流値を計測する計測手段と、各動作状態ごとに、２次電池に供給する充電電流の電流値を、アダプタの定格電流値から計測手段により計測されたシステム電流の電流値を差し引いた値に調整する調整手段とを設けるようにした。
【００１２】
この結果この充電制御装置では、既存のアダプタをそのまま利用しながらシステム電流の電流値が比較的低い時間帯で多くの直流電流を２次電池の充電電流として供給することができる。
【００１３】
また本発明においては、複数の動作状態からなる一連の処理動作を実行する機能を有し、外部電源からアダプタを介して供給される直流電流を機能を実行するためのシステム電流として使用すると共に、必要に応じて直流電流を２次電池を充電するための充電電流として使用するようになされた充電制御装置において、一連の処理動作を形成する各動作状態と、当該各動作状態に対応するシステム電流の電流値との対応関係を表す変換テーブルを記憶しておく記憶手段と、機能の実行時に、一連の処理動作を形成する各動作状態ごとに、記憶手段から読み出した変換テーブルを用いてシステム電流の電流値を求める読出手段と、各動作状態ごとに、２次電池に供給する充電電流の電流値を、アダプタの定格電流値から読出手段により求められたシステム電流の電流値を差し引いた値に調整する調整手段とを設けるようにした。
【００１４】
この結果この充電制御装置では、既存のアダプタをそのまま利用しながらシステム電流の電流値が比較的低い時間帯で多くの直流電流を２次電池の充電電流として供給することができる。
【００１５】
さらに本発明においては、複数の動作状態からなる一連の処理動作を実行する機能を有し、外部電源からアダプタを介して供給される直流電流を機能を実行するためのシステム電流として使用すると共に、必要に応じて直流電流を２次電池を充電するための充電電流として使用するようになされた充電制御方法において、機能の実行時に、一連の処理動作を形成する各動作状態ごとにシステム電流の電流値を計測した後、当該各動作状態ごとに２次電池に供給する充電電流の電流値をアダプタの定格電流値から計測されたシステム電流の電流値を差し引いた値に調整するようにした。
【００１６】
この結果この充電制御方法では、既存のアダプタをそのまま利用しながらシステム電流の電流値が比較的低い時間帯で多くの直流電流を２次電池の充電電流として供給することができる。
【００１７】
さらに本発明においては、複数の動作状態からなる一連の処理動作を実行する機能を有し、外部電源からアダプタを介して供給される直流電流を機能を実行するためのシステム電流として使用すると共に、必要に応じて直流電流を２次電池を充電するための充電電流として使用するようになされた充電制御方法において、機能の実行時に、一連の処理動作を形成する各動作状態ごとに、一連の処理動作を形成する各動作状態と当該各動作状態に対応するシステム電流の電流値との対応関係を表す変換テーブルを用いて、システム電流の電流値を求めた後、当該各動作状態ごとに、２次電池に供給する充電電流の電流値をアダプタの定格電流値から変換テーブルにより求められたシステム電流の電流値を差し引いた値に調整するようにした。
【００１８】
この結果この充電制御方法では、既存のアダプタをそのまま利用しながらシステム電流の電流値が比較的低い時間帯で多くの直流電流を２次電池の充電電流として供給することができる。
【発明の効果】
【００１９】
上述のように本発明によれば、複数の動作状態からなる一連の処理動作を実行する機能を有し、外部電源からアダプタを介して供給される直流電流を機能を実行するためのシステム電流として使用すると共に、必要に応じて直流電流を２次電池を充電するための充電電流として使用するようになされた充電制御装置において、機能の実行時に、一連の処理動作を形成する各動作状態ごとに、システム電流の電流値を計測する計測手段と、各動作状態ごとに、２次電池に供給する充電電流の電流値を、アダプタの定格電流値から計測手段により計測されたシステム電流の電流値を差し引いた値に調整する調整手段とを設けるようにしたことにより、既存のアダプタをそのまま利用しながらシステム電流の電流値が比較的低い時間帯で多くの直流電流を２次電池の充電電流として供給することができ、かくして簡易な構成で充電時間を効率良く短縮することができる充電制御装置を実現できる。
【００２０】
また本発明においては、複数の動作状態からなる一連の処理動作を実行する機能を有し、外部電源からアダプタを介して供給される直流電流を機能を実行するためのシステム電流として使用すると共に、必要に応じて直流電流を２次電池を充電するための充電電流として使用するようになされた充電制御装置において、一連の処理動作を形成する各動作状態と、当該各動作状態に対応するシステム電流の電流値との対応関係を表す変換テーブルを記憶しておく記憶手段と、機能の実行時に、一連の処理動作を形成する各動作状態ごとに、記憶手段から読み出した変換テーブルを用いてシステム電流の電流値を求める読出手段と、各動作状態ごとに、２次電池に供給する充電電流の電流値を、アダプタの定格電流値から読出手段により求められたシステム電流の電流値を差し引いた値に調整する調整手段とを設けるようにしたことにより、既存のアダプタをそのまま利用しながらシステム電流の電流値が比較的低い時間帯で多くの直流電流を２次電池の充電電流として供給することができ、かくして簡易な構成で充電時間を効率良く短縮することができる充電制御装置を実現できる。
【００２１】
さらに本発明においては、複数の動作状態からなる一連の処理動作を実行する機能を有し、外部電源からアダプタを介して供給される直流電流を機能を実行するためのシステム電流として使用すると共に、必要に応じて直流電流を２次電池を充電するための充電電流として使用するようになされた充電制御方法において、機能の実行時に、一連の処理動作を形成する各動作状態ごとにシステム電流の電流値を計測した後、当該各動作状態ごとに２次電池に供給する充電電流の電流値をアダプタの定格電流値から計測されたシステム電流の電流値を差し引いた値に調整するようにしたことにより、既存のアダプタをそのまま利用しながらシステム電流の電流値が比較的低い時間帯で多くの直流電流を２次電池の充電電流として供給することができ、かくして簡易な構成で充電時間を効率良く短縮することができる充電制御方法を実現できる。
【００２２】
さらに本発明においては、複数の動作状態からなる一連の処理動作を実行する機能を有し、外部電源からアダプタを介して供給される直流電流を機能を実行するためのシステム電流として使用すると共に、必要に応じて直流電流を２次電池を充電するための充電電流として使用するようになされた充電制御方法において、機能の実行時に、一連の処理動作を形成する各動作状態ごとに、一連の処理動作を形成する各動作状態と当該各動作状態に対応するシステム電流の電流値との対応関係を表す変換テーブルを用いて、システム電流の電流値を求めた後、当該各動作状態ごとに、２次電池に供給する充電電流の電流値をアダプタの定格電流値から変換テーブルにより求められたシステム電流の電流値を差し引いた値に調整するようにしたことにより、既存のアダプタをそのまま利用しながらシステム電流の電流値が比較的低い時間帯で多くの直流電流を２次電池の充電電流として供給することができ、かくして簡易な構成で充電時間を効率良く短縮することができる充電制御方法を実現できる。
【発明を実施するための最良の形態】
【００２３】
以下図面について、本願発明の一実施の形態について説明する。
【００２４】
（１）第１の実施の形態
（１−１）ハードディスクプレーヤの構成
図１において、１は全体として第１の実施の形態によるハードディスクプレーヤを示し、外部のパーソナルコンピュータＰＣから供給されるオーディオデータＤ１をハードディスクドライブ２に蓄積すると共に、必要に応じてユーザが所望する楽曲に応じたオーディオデータＤ１をハードディスク（図示せず）から読み出して再生し得るようになされている。
【００２５】
すなわちハードディスクプレーヤ１は、外部のパーソナルコンピュータＰＣと通信ケーブルを介して例えばＵＳＢ（Universal Serial Bus）規格に準拠した通信を行うためのインターフェース（Ｉ／Ｆ）３を有し、ユーザの操作に応じて当該インターフェース３を介してパーソナルコンピュータＰＣから伝送されるオーディオデータＤ１をハードディスクドライブ２内のハードディスクに蓄積するようになされている。
【００２６】
このハードディスクプレーヤ１では、再生時、システム全体の制御を司るＣＰＵ（Central Processing Unit）４は、操作部５を介してユーザから指示を受けると、ハードディスクドライブ２を制御して指定された各種楽曲に対応するオーディオデータＤ１をハードディスクから読み出してキャッシュメモリとしてのＳＤＲＡＭ（Synchronous Dynamic Random Access Memory）６に一時的に格納する。
【００２７】
続いてＣＰＵ４は、ＳＤＲＡＭ６から所定タイミングで順次オーディオデータＤ１を読み出しながらデコーダ７に送出し、当該デコーダ７において元のフォーマットでなるオーディオデータＤ２となるようにデコード処理させる。そしてＣＰＵ４は、デコード処理されたオーディオデータＤ２を出力アンプ８を介して増幅した後、ヘッドホンＨＰに送出するようにして当該オーディオデータＤ２に基づく音声を外部に放音させる。
【００２８】
またＣＰＵ４は、ＳＤＲＡＭ６から順次オーディオデータＤ１を読み出す際に、当該オーディオデータＤ１に付加された種々の関連情報（例えばタイトル名、再生時間など）をＬＣＤ（Liquid Crystal Display）からなる表示部９の表示画面に表示させる。
【００２９】
これらインターフェース３、ハードディスクドライブ２、ＳＤＲＡＭ６、デコーダ７、出力アンプ８及び操作部５は、バス１０を介してＣＰＵ４と接続され、当該ＣＰＵ４の制御に基づいて各種動作を実行するようになされている。さらにＣＰＵ４には、動作プログラムや各定数が記憶されているフラッシュＲＡＭ１１がバス１０を介して接続されている。
【００３０】
またハードディスクプレーヤ１においては、ＤＣ（Direct Current）入力端子１２を有し、一端が外部に設けられた家庭用電源（図示せず）に接続されたＡＣアダプタ１３の他端が接続されることにより、当該家庭用電源を電流供給源として使用し得るようになされている。
【００３１】
実際に家庭用電源及びＤＣ入力端子１２間にＡＣアダプタ１３が接続されると、当該家庭用電源から供給される交流電流Ｓ１０が当該ＡＣアダプタ１３の定格電流値でなる直流電流Ｓ１１に変換された後、当該直流電流Ｓ１１がＤＣ入力端子１２を介して電源供給部１４に与えられる。
【００３２】
この電源供給部１４は、供給される直流電流Ｓ１１をシステム電流として、ＣＰＵ４、インターフェース３、ハードディスクドライブ２、ＳＤＲＡＭ６、デコーダ７、出力アンプ８、操作部５、フラッシュＲＡＭ１１、表示部９にそれぞれ供給するようになされている。その際、電源供給部１４は、これら全回路２〜９、１１に供給するシステム電流Ｓ１１の電流値を計測し、当該計測結果を所定の時間タイミングでＣＰＵ４に逐次伝達するようになされている。
【００３３】
かかる構成に加えて、ハードディスクプレーヤ１においては、例えばリチウムイオンバッテリ等の２次電池１５を固定して又は装脱自在に収納するための電池収納部１６が設けられ、当該電池収納部１６に収納された２次電池１５を携帯時など必要に応じて電源供給源として使用し得るようになされている。すなわち電池収納部１６に収納された２次電池は、使用時には、自己の充電電流を電源供給部１４を介して全回路２〜９、１１にシステム電流として供給し得るようになされている。
【００３４】
また電池収納部１６に収納された２次電池１５は、ＤＣ入力端子１２を介して外部の家庭用電源からＡＣアンプ１３を介して供給される直流電流Ｓ１１を用いて充電し得るようになされている。具体的にハードディスクプレーヤ１には、ＤＣ入力端子１２及び電池収納部１６間に充電ＩＣ（Integrated Circuit）部１７が設けられ、ＣＰＵ４の制御に基づいて当該充電ＩＣ部１７がＤＣ入力端子１２を介して供給される直流電流Ｓ１１の電流値を調整することにより、かかる電流値が調整された直流電流を充電電流Ｓ１２として電池収納部１６に収納された２次電池１５に供給し得るようになされている。
【００３５】
このハードディスクプレーヤ１では、電池収納部１６に２次電池１５が収納された状態でかつ外部の家庭用電源とＡＣアダプタ１３を介して導通接続された状態である場合において、ユーザにより充電制御モードが指定されると、ＣＰＵ４は、充電ＩＣ部１７を制御することにより、再生動作時においても２次電池１５に対する充電動作を同時に行い得るようになされている。
【００３６】
（１−２）第１の実施の形態による充電制御モード
第１の実施の形態では、ＣＰＵ４は、ユーザの操作に応じて充電制御モードが指定され、かつ再生動作を実行する旨の指示が与えられると、図２に示す充電制御モード処理手順ＲＴ１をステップＳＰ０から開始し、続くステップＳＰ１において、電池収納部１６に２次電池１５が収納されているか否かを判断する。このステップＳＰ１において肯定結果が得られた場合のみ、ＣＰＵ４は、ステップＳＰ２に進んで、ＤＣ入力端子１２にＡＣアダプタ１３が有効に接続されているか否かを判断する。
【００３７】
そしてＣＰＵ４は、このステップＳＰ２において肯定結果が得られた場合のみ、すなわち電池収納部１６に２次電池１５が収納された状態でＡＣアダプタ１３を介して外部の家庭用電源と導通接続された場合のみ、ステップＳＰ３に進む。
【００３８】
このステップＳＰ３において、ＣＰＵ４は、充電ＩＣ部１７を制御することにより、ＡＣアダプタ１３を介して供給される直流電流を充電電流Ｓ１２として２次電池１５に供給させるようにして当該２次電池１５の充電動作を開始した後、ステップＳＰ４に進んで、当該２次電池１５が充電完了状態（以下、この状態をフル状態と呼ぶ）になったか否かを判断する。
【００３９】
このステップＳＰ４において否定結果が得られると、このことは２次電池１５が未だ充電中であることを意味し、このときＣＰＵ４は、ステップＳＰ５に進んで、ハードディスクプレーヤ１内の全回路２〜９、１１に供給するシステム電流Ｓ１１の電流値を計測する。
【００４０】
そしてＣＰＵ４は、ステップＳＰ６に進んで、ハードディスクプレーヤ１内の全回路２〜９、１１に供給するシステム電流Ｓ１１の電流値を計測結果に応じて、ＡＣアダプタ１３の定格電流値を考慮しながら充電ＩＣ部１７を制御するようにして、２次電池１５に供給する充電電流Ｓ１２の電流値を調整する。
【００４１】
かかるハードディスクプレーヤ１では、電源オン状態に全回路２〜９、１１に供給するシステム電流Ｓ１１の電流値の変化状態が負荷変動として図３のように表される。この図３において、ハードディスクプレーヤ１のシステム電流Ｓ１１の電流値は、１〔mA〕以下のスリープ時から再生動作の準備状態の開始時点ｔ０では30〔mA〕程度になり、ハードディスクドライブ２が起動される時点ｔ１から急激に700〔mA〕と上昇して約１秒間経過した後、ハードディスク２がアクセスされてオーディオデータＤ１がＳＤＲＡＭ６に書き込まれる時点ｔ２からは450〔mA〕程度となり、その後約９秒間経過して当該ＳＤＲＡＭ６からオーディオデータＤ１が読み出される時点ｔ３からは通常の再生動作時と同じ30〔mA〕程度を持続する。続く時点ｔ３から次にハードディスクドライブ２が起動される時点までの時間及び時点ｔ２から時点ｔ３までの時間は、ＳＤＲＡＭ６の記憶容量に応じて決定される。
【００４２】
ここで２次電池１５に供給される充電電流Ｓ１２の電流値ＩＣＨＡは、ＡＣアダプタ１３の定格電流値である800〔mA〕からシステム電流Ｓ１１の電流値ＩＳＹＳを差し引いた値で求められ、次式
【００４３】
【数１】
2005328660.tif 000003
【００４４】
のように表される。
【００４５】
この後ＣＰＵ４は、再度ステップＳＰ４に戻って肯定結果が得られるまで、すなわち２次電池１５の充電状態がフル充電となるまで上述のステップＳＰ５〜ＳＰ６を繰り返す。やがてＣＰＵ４は、ステップＳＰ４において２次電池１５がフル充電になったと判断した場合には、ステップＳＰ７に進んで、当該充電モード処理手順ＲＴ１を終了する。
【００４６】
このようにハードディスクプレーヤ１では、システム電流Ｓ１１の電流値を逐次計測しながら、当該計測結果に基づいて、ＡＣアダプタ１３の定格電流値との差分として得られる２次電池１５の充電電流Ｓ１２の電流値を調整することにより、ＡＣアダプタ１３の定格電流値があまり高くない場合であっても２次電池１５を比較的短時間で充電することが可能となる。
【００４７】
因みに上述した式（１）によると、かかるハードディスクプレーヤ１では、システム電流Ｓ１１の電流値ＩＳＹＳがハードディスクプレーヤ１の動作状態に応じて変化するため、充電電流Ｓ１２の電流値ＩＣＨＡとして、ハードディスクドライブ２の起動時からハードディスクがアクセスされてオーディオデータＤ１をＳＤＲＡＭ６に書き込むまでの時間（時点ｔ１から時点ｔ３まで）は100〜350〔mA〕しか確保することができないが、それ以外の再生動作の準備状態時（時点ｔ０から時点ｔ１まで）やＳＤＲＡＭ６からの読出し時（時点ｔ３以降）では720〔mA〕も確保することができる。
【００４８】
（１−３）第１の実施の形態の動作及び効果
以上の構成において、このハードディスクプレーヤ１では、電池収納部１６に２次電池１５が収納された状態でかつ外部の家庭用電源とＡＣアダプタ１３を介して導通接続された状態である場合に、ユーザにより充電制御モードが指定されると、実際の再生動作を実行しながら２次電池１５に対する充電動作を並行して行う。
【００４９】
その際、ハードディスクプレーヤ１では、全回路２〜９、１１に供給するシステム電流Ｓ１１の電流値を逐次計測しながら、当該計測結果であるシステム電流Ｓ１１の電流値をＡＣアダプタ１３の定格電流値から差し引いた値を２次電池１５に供給する充電電流Ｓ１２の電流値としてその都度調整することにより、システム電流Ｓ１１の電流値が比較的低い時間帯で多くの直流電流を２次電池１５の充電電流として供給することができる。
【００５０】
この結果、ハードディスクプレーヤ１では、ＡＣアダプタ１３として定格電流値がハードディスクドライブ２の起動時における動作時最大電流値（例えば700〔mA〕）のみ満たすように設定された値（例えば800〔mA〕）のものを使用した場合であっても、２次電池１５を比較的短時間で効率良く充電することができる。
【００５１】
以上の構成によれば、このハードディスクプレーヤ１において、実際の再生動作を実行しながら２次電池１５に対する充電動作を並行して行う際に、全回路２〜９、１１に供給するシステム電流Ｓ１１の電流値を逐次計測しながら、当該計測結果であるシステム電流Ｓ１１の電流値をＡＣアダプタ１３の定格電流値から差し引いた値を２次電池１５に供給する充電電流Ｓ１２の電流値としてその都度調整するようにしたことにより、既存のＡＣアダプタ１３をそのまま利用しながらシステム電流Ｓ１１の電流値が比較的低い時間帯で多くの直流電流を２次電池１５の充電電流Ｓ１２として供給することができ、かくして簡易な構成で充電時間を効率良く短縮することができるハードディスクプレーヤ１を実現し得る。
【００５２】
（２）第２の実施の形態
（２−１）ハードディスクプレーヤの構成
第２の実施の形態においては、ハードディスクプレーヤ１は上述した図１の構成とハードウェア構成が同一でなり、ＣＰＵ４がフラッシュＲＡＭ１１に読み書きするデータ内容と、当該ＣＰＵ４の動作内容とが相違する点を除いて第１の実施の形態と同様に構成されている。
【００５３】
この第２の実施の形態では、ハードディスクプレーヤ１は、実際に一連の再生動作を実行しながら、当該再生動作を形成する各動作状態ごとに、システム電流Ｓ１１の電流値をそれぞれ計測しておき、当該各動作状態とシステム電流Ｓ１１の電流値との関係を表す変換テーブル（以下、これを動作電流変換テーブルと呼ぶ）を生成して、フラッシュＲＡＭ１１に格納しておくようになされている。
【００５４】
かかる再生動作を形成する各動作状態とは、スリープ状態と、再生動作の準備状態と、ハードディスクドライブの起動状態と、ハードディスクへのアクセス及びＳＤＲＡＭへの書込み状態と、ＳＤＲＡＭからの読出し状態とである。
【００５５】
これら各動作状態では、システム電流Ｓ１１の電流値がそれぞれ異なり、上述した図３に示すグラフとの対応をとると、スリープ状態では１〔mA〕以下であり、再生動作の準備状態では30〔mA〕であり、ハードディスクドライブ２の起動状態では700〔mA〕であり、ハードディスクへのアクセス及びＳＤＲＡＭ６への書込み状態では450〔mA〕であり、ＳＤＲＡＭ６からの読出し状態では30〔mA〕である。
【００５６】
このようにＣＰＵ４は、動作電流変換テーブルを生成してフラッシュＲＡＭ１１に格納しておき、充電制御モードが選択された状態における実際の再生動作時に、一連の再生動作を形成する各動作状態を認識して、当該各動作状態に対応するシステム電流Ｓ１１の電流値を動作電流変換テーブルを用いて求めることにより、上述した第１の実施の形態の場合と同様に、既存のＡＣアダプタ１３をそのまま利用しながらシステム電流Ｓ１１の電流値が比較的低い時間帯で多くの直流電流を２次電池１５の充電電流Ｓ１２として供給し得るようになされている。
【００５７】
（２−２）第２の実施の形態による充電制御モード
第２の実施の形態では、ＣＰＵ４は、ユーザの操作に応じて充電制御モードが指定され、かつ再生動作を実行する旨の指示が与えられると、図４に示す充電制御モード処理手順ＲＴ２をステップＳＰ１０から開始し、続くステップＳＰ１１において、電池収納部１６に２次電池１５が収納されているか否かを判断する。このステップＳＰ１１において肯定結果が得られた場合のみ、ＣＰＵ４は、ステップＳＰ１２に進んで、ＤＣ入力端子１２にＡＣアダプタ１３が有効に接続されているか否かを判断する。
【００５８】
そしてＣＰＵ４は、このステップＳＰ１２において肯定結果が得られた場合のみ、すなわち電池収納部１６に２次電池１５が収納された状態でＡＣアダプタ１３を介して外部の家庭用電源と導通接続された場合のみ、ステップＳＰ１３に進む。
【００５９】
このステップＳＰ１３において、ＣＰＵ４は、充電ＩＣ部１７を制御することにより、ＡＣアダプタ１３を介して供給される直流電流を充電電流Ｓ１２として２次電池１５に供給させるようにして当該２次電池１５の充電動作を開始した後、ステップＳＰ４に進んで、当該２次電池１５が充電完了状態（以下、この状態をフル状態と呼ぶ）になったか否かを判断する。
【００６０】
このステップＳＰ１４において否定結果が得られると、このことは２次電池１５が未だ充電中であることを表しており、このときＣＰＵ４は、ステップＳＰ１５に進んで、一連の再生動作を形成する各動作状態がハードディスクドライブ２の起動状態であるか否かを判断する。
【００６１】
このステップＳＰ１５において肯定結果が得られた場合、このことはシステム電流Ｓ１１の電流値が700〔mA〕であることを意味し、このときＣＰＵ４は、ステップＳＰ１６に進んで、充電電流Ｓ１２の電流値をＡＣアダプタ１３の定格電流値800〔mA〕との差分である100〔mA〕に調整した後、再度ステップＳＰ１４に戻って上述と同様の処理を実行する。
【００６２】
一方、ステップＳＰ１５において否定結果が得られた場合、ＣＰＵ４は、そのままステップＳＰ１７に進んで、一連の再生動作を形成する各動作状態がハードディスクへのアクセス及びＳＤＲＡＭ６への書込み状態であるか否かを判断する。
【００６３】
このステップＳＰ１７において肯定結果が得られた場合、このことはシステム電流Ｓ１１の電流値が450〔mA〕であることを意味し、このときＣＰＵ４は、ステップＳＰ１８に進んで、充電電流Ｓ１２の電流値をＡＣアダプタ１３の定格電流値800〔mA〕との差分である350〔mA〕に調整した後、再度ステップＳＰ１４に戻って上述と同様の処理を実行する。
【００６４】
一方、ステップＳＰ１７において否定結果が得られた場合、ＣＰＵ４は、そのままステップＳＰ１９に進んで、一連の再生動作を形成する各動作状態がＳＤＲＡＭ６からの読出し状態であるか否かを判断する。
【００６５】
このステップＳＰ１９において肯定結果が得られた場合、このことはシステム電流Ｓ１１の電流値が30〔mA〕であることを意味し、このときＣＰＵ４は、ステップＳＰ２０に進んで、充電電流Ｓ１２の電流値をＡＣアダプタ１３の定格電流値800〔mA〕との差分である770〔mA〕に調整した後、再度ステップＳＰ１４に戻って上述と同様の処理を実行する。
【００６６】
一方、ステップＳＰ１９において否定結果が得られた場合、ＣＰＵ４は、現在の動作状態がスリープ状態であると判断して、そのままステップＳＰ２０に進んで、充電電流Ｓ１２の電流値をＡＣアダプタ１３の定格電流値800〔mA〕程度に調整した後、再度ステップＳＰ１４に戻って上述と同様の処理を実行する。
【００６７】
やがてＣＰＵ４は、このステップＳＰ１４において肯定結果が得られるまで上述のステップＳＰ１５〜ＳＰ２０を繰り返した後、当該ステップＳＰ１４において２次電池１５がフル充電になったと判断した場合には、ステップＳＰ２１に進んで、当該充電モード処理手順ＲＴ２を終了する。
【００６８】
このようにハードディスクプレーヤ１では、一連の再生動作を形成する各動作状態ごとに、動作電流変換テーブルを用いてシステム電流Ｓ１１の電流値をそれぞれ求め、当該各システム電流Ｓ１１の電流値とＡＣアダプタ１３の定格電流値との差分とから２次電池１５の充電電流Ｓ１２の電流値をそれぞれ調整することにより、ＡＣアダプタ１３の定格電流値があまり高くない場合であっても２次電池１５を比較的短時間で充電することが可能となる。
【００６９】
（２−３）第２の実施の形態の動作及び効果
以上の構成において、このハードディスクプレーヤ１では、電池収納部１６に２次電池１５が収納された状態でかつ外部の家庭用電源とＡＣアダプタ１３を介して導通接続された状態である場合に、ユーザにより充電制御モードが指定されると、実際の再生動作を実行しながら２次電池１５に対する充電動作を並行して行う。
【００７０】
その際、ハードディスクプレーヤ１では、一連の再生動作を形成する各動作状態ごとに、動作電流変換テーブルを用いてシステム電流Ｓ１１の電流値をそれぞれ求め、当該各システム電流Ｓ１１の電流値とＡＣアダプタ１３の定格電流値との差分とから２次電池１５の充電電流Ｓ１２の電流値をそれぞれ調整することにより、システム電流Ｓ１１の電流値が比較的低い時間帯で多くの直流電流を２次電池１５の充電電流Ｓ１２として供給することができる。
【００７１】
この結果、ハードディスクプレーヤ１では、ＡＣアダプタ１３として定格電流値がハードディスクドライブ２の起動時における動作時最大電流値（例えば700〔mA〕）のみ満たすように設定された値（例えば800〔mA〕）のものを使用した場合であっても、２次電池１５を比較的短時間で効率良く充電することができる。
【００７２】
以上の構成によれば、このハードディスクプレーヤ１において、実際の再生動作を実行しながら２次電池１５に対する充電動作を並行して行う際に、一連の再生動作を形成する各動作状態ごとに、動作電流変換テーブルを用いてシステム電流Ｓ１１の電流値をそれぞれ求め、当該各システム電流Ｓ１１の電流値とＡＣアダプタ１３の定格電流値との差分とから２次電池１５の充電電流Ｓ１２の電流値をそれぞれ調整するようにしたことにより、既存のＡＣアダプタ１３をそのまま利用しながらシステム電流Ｓ１１の電流値が比較的低い時間帯で多くの直流電流を２次電池１５の充電電流Ｓ１２として供給することができ、かくして簡易な構成で充電時間を効率良く短縮することができるハードディスクプレーヤ１を実現し得る。
【００７３】
（３）他の実施の形態
なお上述の第１及び第２の実施の形態においては、本発明を図１に示すようなハードディスクプレーヤ１に適用するようにした場合について述べたが、本発明はこれに限らず、要は、家庭用電源（外部電源）からＡＣアダプタ（アダプタ）１３を介して供給される直流電流をシステム電流Ｓ１１として使用すると共に、必要に応じて当該直流電流を２次電池１５を充電するための充電電流Ｓ１２として使用するものであれば、ハードディスクプレーヤ１のみならず、ＤＶＤ（Digital Versatile Disk）等の記録及び又は再生装置や、ＭＤ（Mini Disc）等の光磁気ディスクの記録及び又は再生装置やビデオカメラ、携帯電話機など、この他種々の構成の充電制御装置に広く適用することができる。
【００７４】
特にシステム電流Ｓ１１の電流値がＡＣアダプタ１３の定格電流値に近似する程、急激に上昇する高負荷の機器に対して本発明を適用すれば、システム電流Ｓ１１の電流値が比較的低い時間帯で多くの直流電流を２次電池１５の充電電流Ｓ１２として供給することができる点で非常に有効である。
【００７５】
かかる第１及び第２の実施の形態におけるハードディスクプレーヤ１においては、複数の動作状態からなる一連の処理動作として、ハードディスクに記録されたオーディオデータＤ１の再生動作を適用し、当該再生動作を形成する各動作状態として、スリープ状態と、再生動作の準備状態と、ハードディスクドライブ２の起動状態と、ハードディスクへのアクセス及びＳＤＲＡＭ６への書込み状態と、ＳＤＲＡＭ６からの読出し状態とを適用するようにした。
【００７６】
また上述の第１の実施の形態においては、再生動作時（機能の実行時）に各動作状態ごとにシステム電流Ｓ１１の電流値を計測する計測手段を、電源供給部１４及びＣＰＵ４から構成するようにした場合について述べたが、本発明はこれに限らず、この他種々の構成の計測手段に広く適用するようにしても良い。
【００７７】
さらに上述の第１の実施の形態においては、再生動作（一連の処理動作）を形成する各動作状態ごとに、２次電池１５に供給する充電電流Ｓ１２の電流値を、ＡＣアダプタ１３の定格電流値から、電源供給部１４及びＣＰＵ４（計測手段）により計測されたシステム電流Ｓ１１の電流値を差し引いた値に調整する調整手段を、充電ＩＣ部１７及びＣＰＵ４から構成するようにした場合について述べたが、本発明はこれに限らず、この他種々の構成の調整手段に広く適用するようにしても良い。
【００７８】
さらに上述の第２の実施の形態においては、再生動作（一連の処理動作）を形成する各動作状態と、当該各動作状態に対応するシステム電流Ｓ１１の電流値との対応関係を表す動作電流変換テーブル（変換テーブル）を記憶しておく記憶手段として、フラッシュＲＡＭ１１を適用するようにした場合について述べたが、本発明はこれに限らず、要はＣＰＵ４の制御内容を一時的に格納することができれば、ＳＤＲＡＭ６や、不揮発性メモリなどこの他種々の構成からなる記憶手段に広く適用することができる。
【００７９】
さらに上述の第２の実施の形態においては、フラッシュＲＡＭ（記憶手段）１１に記憶する動作電流変換テーブル（変換テーブル）を、再生動作（一連の処理動作）を形成する各動作状態と、当該各動作状態に対応するシステム電流Ｓ１１の電流値との対応関係を表すようにした場合について述べたが、本発明はこれに限らず、再生動作（一連の処理動作）を形成する各動作状態のうちシステム電流Ｓ１１の電流値が最大となる動作状態について、当該動作状態が終了後も所定時間だけ対応するシステム電流Ｓ１１の電流値を維持するように設定しても良い。
【００８０】
例えば図３との対応部分に同一符号を付した図５において、電源オン状態に全回路２〜９、１１に供給するシステム電流Ｓ１１の電流値の変化状態が負荷変動を表すと、ハードディスクプレーヤ１のシステム電流Ｓ１１の電流値は、ハードディスクドライブ２が起動される時点ｔ１から急激に700〔mA〕と上昇して約１秒間経過した後、ハードディスク２がアクセスされてオーディオデータＤ１がＳＤＲＡＭ６に書き込まれる時点ｔ２からは450〔mA〕程度となり、その後約９秒間経過して当該ＳＤＲＡＭ６からオーディオデータＤ１が読み出される時点ｔ３からは通常の再生動作時と同じ30〔mA〕程度を持続する。
【００８１】
この図５では、ハードディスクプレーヤのシステム電流Ｓ１の最大電流値は、ハードディスクドライブが起動される時点ｔ１における電流値（動作時最大電流値）であり、この時点ｔ１から所定時間（例えば20秒）経過後の時点ｔＸに、当該システム電流Ｓ１の電流値をＳＤＲＡＭ６からオーディオデータＤ１が読み出される時点ｔ３と同じ30〔mA〕程度を持続するようにしても良い。すなわち動作変換テーブルを各動作状態と対応するシステム電流Ｓ１１の電流値との対応関係を厳密にするのではなく、ハードディスクドライブ２の起動時の時間長は、ハードディスクドライブ２が起動されてからハードディスク２がアクセスされてオーディオデータＤ１がＳＤＲＡＭ６に書き込まれるまでの時間ｔ１〜ｔ３は、ＳＤＲＡＭ６の記憶容量の最大値に応じて相違するものであるため、当該ハードディスクドライブ２の起動時の時点ｔ１からＳＤＲＡＭ６への書込みに至る時間を考慮した所定時間（例えば20秒）経過後の時点ｔＸまでは、動作時最大電流値700〔mA〕を維持するように動作電流変換テーブルを設定した方が汎用性が増すことができるという利点がある。
【００８２】
さらに上述の第２の実施の形態においては、再生動作時（機能の実行時）に、当該再生動作（一連の処理動作）を形成する各動作状態ごとに、フラッシュＲＡＭ（記憶手段）１１から読み出した動作電流変換テーブル（変換テーブル）を用いてシステム電流Ｓ１１の電流値を求める読出手段として、ＣＰＵ４を適用するようにした場合について述べたが、本発明はこれに限らず、この他種々の構成の読出手段に広く適用するようにしても良い。
【００８３】
さらに上述の第２の実施の形態においては、再生動作（一連の処理動作）を形成する各動作状態ごとに、２次電池１５に供給する充電電流Ｓ１２の電流値を、ＡＣアダプタ（アダプタ）１３の定格電流値から動作電流変換テーブル（変換テーブル）により求められたシステム電流Ｓ１１の電流値を差し引いた値に調整する調整手段を、充電ＩＣ部１７及びＣＰＵ４から構成するようにした場合について述べたが、本発明はこれに限らず、この他種々の構成の調整手段に広く適用するようにしても良い。
【００８４】
さらに上述の第１及び第２の実施の形態においては、それぞれ充電制御モード処理手順ＲＴ１（図２）及びＲＴ２（図４）を、ユーザの操作に応じて充電制御モードが指定されたときに開始するようにした場合について述べたが、本発明はこれに限らず、２次電池１５及びＡＣアダプタ１３が両方とも装置内部で導通接続されていることをＣＰＵ４が認識したときに自動的に開始するようにしても良い。
【産業上の利用可能性】
【００８５】
充電制御装置及び充電制御方法において、携帯型のオーディオ機器や携帯電話機などに適用することができる。
【図面の簡単な説明】
【００８６】
【図１】第１の実施の形態によるハードディスクプレーヤの構成を示すブロック図である。
【図２】第１の実施の形態による充電制御モード処理手順の説明に供するフローチャートである。
【図３】再生動作時におけるシステム電流の電流値の変化状態を示すグラフである。
【図４】第２の実施の形態による充電制御モード処理手順の説明に供するフローチャートである。
【図５】他の実施の形態におけるシステム電流の電流値の変化状態を示すグラフである。
【図６】従来のシステム電流の電流値の変化状態を示すグラフである。
【図７】従来の第１及び第２の充電方法の説明に供するグラフである。
【符号の説明】
【００８７】
１……ハードディスクプレーヤ、２……ハードディスクドライブ、３……インターフェース、４……ＣＰＵ、５……操作部、６……ＳＤＲＡＭ、７……デコーダ、８……出力アンプ、９……表示部、１１……フラッシュＲＡＭ、１２……ＤＣ入力端子、１３……ＡＣアダプタ、１４……電源供給部、１５……２次電池、１６……電池収納部、１７……充電ＩＣ部、Ｓ１１……システム電流、Ｓ１２……充電電流、ＲＴ１、ＲＴ２……充電制御モード処理手順。
【図１】
2005328660.tif 000004
【図２】
2005328660.tif 000005
【図３】
2005328660.tif 000006
【図４】
2005328660.tif 000007
【図５】
2005328660.tif 000008
【図６】
2005328660.tif 000009
【図７】
2005328660.tif 000010